(57)【要約】【課題】画像の欠陥補正が不十分であった場合でも、顧客自身が所望の画像処理を行うことができる画像処理装置及び画像処理方法並びに画像処理プログラムの提供。【解決手段】フィルムスキャナ部９や反射原稿入力装置１０を用いてフィルムやカラーペーパー等の媒体から画像信号を取得し所定の画像処理を行って記録媒体に出力する画像処理装置において、媒体に記録された画像を走査して欠陥を検出し欠陥検出信号を取得する欠陥検出手段３１と、欠陥検出信号を用いて画像信号に対して欠陥の補正を行う補正手段３２と、補正後の画像信号の画像データと、補正を行った画素の情報、欠陥検出信号、又は補正前の画像信号の画像データから選択される少なくとも１つの情報とを記録媒体に記録する画像データ記録手段３３とを備え、これらの情報を参照することにより顧客は所望の画像処理や欠陥補正を行うことができる。【選択図】図５
2004248077.tif 000002
【特許請求の範囲】
【請求項１】
媒体に記録された画像を画像読み取り用光で走査して画像信号を取得し、該画像信号に基づいて画像処理を行い、画像データとして出力する画像処理装置において、
前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと補正を行った画素の情報とを記録媒体に記録する画像データ記録手段とを少なくとも有することを特徴とする画像処理装置。
【請求項２】
媒体に記録された画像を画像読み取り用光で走査して画像信号を取得し、該画像信号に基づいて画像処理を行い、画像データとして出力する画像処理装置において、
前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと前記欠陥検出信号とを記録媒体に記録する画像データ記録手段とを少なくとも有することを特徴とする画像処理装置。
【請求項３】
前記画像データ記録手段において、更に、補正を行った画素の情報を前記記録媒体に記録することを特徴とする請求項２記載の画像処理装置。
【請求項４】
媒体に記録された画像を画像読み取り用光で走査して画像信号を取得し、該画像信号に基づいて画像処理を行い、画像データとして出力する画像処理装置において、
前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと補正前の画像信号の画像データとを記録媒体に記録する画像データ記録手段とを少なくとも有することを特徴とする画像処理装置。
【請求項５】
前記補正手段に、前記補正前の画像信号と前記補正前の画像信号とを比較し、その差分値を演算する差分処理手段を備え、前記画像データ記録手段では、前記補正前の画像信号の画像データ又は前記補正前の画像信号の画像データの一方と、前記差分値とが前記記録媒体に記録されることを特徴とする請求項４記載の画像処理装置。
【請求項６】
媒体に記録された画像を画像読み取り用光で走査して画像信号を取得し、該画像信号に基づいて画像処理を行い、画像データとして出力する画像処理装置における画像処理方法であって、
前記媒体に記録された前記画像を欠陥検出用光で走査して前記画像の欠陥を検出し、欠陥検出信号を取得するステップと、前記欠陥検出信号に基づいて前記画像信号の欠陥画素を補正する補正ステップと、表示手段に、補正後の画像信号の画像データと共に記録媒体に記録する情報を選択可能に表示するステップと、選択結果に基づいて、前記補正後の画像信号の画像データと、補正を行った画素の情報、前記欠陥検出信号、又は補正前の画像信号の画像データの中から選択される少なくとも１つの前記情報とを前記記録媒体に記録する記録ステップとを少なくとも有することを特徴とする画像処理方法。
【請求項７】
前記補正ステップでは、前記補正前の画像信号と前記補正前の画像信号とを比較し、その差分値を演算する処理を行い、前記画像データ記録ステップでは、前記記録媒体に記録する前記情報として前記補正前の画像信号の画像データが選択された場合に、前記補正前の画像信号の画像データ又は前記補正前の画像信号の画像データの一方と、前記差分値とを記録媒体に記録することを特徴とする請求項６記載の画像処理方法。
【請求項８】
コンピュータを、少なくとも、
媒体に記録された画像を欠陥検出用光で走査して前記画像の欠陥を検出し、欠陥検出信号を取得する欠陥検出手段、
前記欠陥検出信号に基づいて、前記媒体に記録された前記画像を画像読み取り用光で走査して得られた画像信号の欠陥画素を補正する補正手段、
補正後の画像信号の画像データと補正を行った画素の情報とを記録媒体に記録する画像データ記録手段、
として機能させることを特徴とする画像処理プログラム。
【請求項９】
コンピュータを、少なくとも、
媒体に記録された画像を欠陥検出用光で走査して前記画像の欠陥を検出し、欠陥検出信号を取得する欠陥検出手段、
前記欠陥検出信号に基づいて、前記媒体に記録された前記画像を画像読み取り用光で走査して得られた画像信号の欠陥画素を補正する補正手段、
補正後の画像信号の画像データと前記欠陥検出信号とを記録媒体に記録する画像データ記録手段、
として機能させることを特徴とする画像処理プログラム。
【請求項１０】
前記画像データ記録手段において、更に、補正を行った画素の情報を前記記録媒体に記録することを特徴とする請求項９記載の画像処理プログラム。
【請求項１１】
コンピュータを、少なくとも、
媒体に記録された画像を欠陥検出用光で走査して前記画像の欠陥を検出し、欠陥検出信号を取得する欠陥検出手段、
前記欠陥検出信号に基づいて、前記媒体に記録された前記画像を画像読み取り用光で走査して得られた画像信号の欠陥画素を補正する補正手段、
補正後の画像信号の画像データと補正前の画像信号の画像データとを記録媒体に記録する画像データ記録手段、
として機能させることを特徴とする画像処理プログラム。
【請求項１２】
前記補正手段に、前記補正前の画像信号と前記補正前の画像信号とを比較し、その差分値を演算する差分処理手段を備え、前記画像データ記録手段では、前記補正前の画像信号の画像データ又は前記補正前の画像信号の画像データの一方と、前記差分値とが前記記録媒体に記録されることを特徴とする請求項１１記載の画像処理プログラム。
【発明の詳細な説明】
【０００１】
【発明の属する技術分野】
本発明は、画像処理装置及び画像処理方法並びに画像処理プログラムに関し、特に、画像データの欠陥を補正する処理を行う画像処理装置及び画像処理方法並びに画像処理プログラムに関する。
【０００２】
【従来の技術】
カラー写真フィルム上に形成された画像、あるいは写真印画紙上に形成された画像を、Ｒ・Ｇ・Ｂの３色の画像読み取り用光を透過あるいは反射させ、ＣＣＤセンサー等で光電的に読みとって、多数個の画素の画像信号に変換することが行なわれている。かかる画像信号は、ネガポジ反転・輝度調整・カラーバランス調整・粒状除去・鮮鋭性強調に代表される種々の画像処理を施された後に、銀塩印画紙・インクジェットプリンタ・サーマルプリンタ等で観賞用のハードコピー画像として出力される。またハードコピー画像のみならず、ハードコピーを行った同等の画像データをＣＤ−Ｒ・フロッピー（登録商標）ディスク（以下、ＦＤと略す。）・メモリーカード等の記録媒体に出力することもでき、顧客（プリント作成の依頼者）の要望に応じてハードコピー，画像データ（画像データを記録した記録媒体）の両方を提供することができる。
【０００３】
さらに顧客は、このような画像データを自宅のパーソナルコンピュータ等に取り込み、市販のレタッチソフト等を用いて処理し、例えば合成画像を作成したり、ホームページを作成したり、はがきに印刷したりするなどの多様な形態で使用することができる。
【０００４】
このような写真フィルムのサービスにおいて、写真フィルムはカメラ内での撮影時、現像処理時、現像処理後の保管時、前述の画像読み取り時等の取り扱い方によっては、乳剤面や裏面に傷が付いてしまうことがあり、その場合は、前述の行程で得られる出力画像中に画像欠陥として目視され、明らかに写真の品質を落としてしまうという問題があった。
【０００５】
このような画像欠陥の問題を解決するために、特許第２５５９９７０号において、カラー写真フィルム上に形成された画像をＣＣＤセンサー等で光学的に読みとる際に、可視光と赤外光を用いて可視光画像信号と赤外画像信号を得て、該赤外光のエネルギー強度がある閾値を越える画素は画像欠陥であると判別し、ある閾値よりも大きい場合には可視光画像信号を赤外画像信号で除算し、ある閾値よりも小さい場合には可視光画像信号に補間処理を行うことにより、欠陥画素の補正を行う画像処理装置及び画像処理方法が提案されている。
【０００６】
【特許文献１】
特許第２５５９９７０号（第３−１０頁、第４図）
【０００７】
【発明が解決しようとする課題】
しかしながら、本願発明者が検討した結果、上記特許記載の方法では、例えば壁のような平坦な被写体においては何ら問題なく画像欠陥の補正を行うことができるが、人間の顔のアップのような画像に対して欠陥補正を行った場合、補正を行った部分に微細な凹凸の不連続性が発生し、顔の表情や質感に違和感を生じさせてしまうことが判明した。そして、顧客はこのような不適当な傷の補正処理が行われた画像データを受け取ることとなり、顧客にとって非常に不満足なものとなってしまう場合があった。
【０００８】
本発明は、上記問題点に鑑みてなされたものであって、その主たる目的は、画像の欠陥補正が不十分であった場合でも、顧客自身が所望の画像処理を行うことができる画像処理装置及び画像処理方法並びに画像処理プログラムを提供することにある。
【０００９】
【問題を解決するための手段】
上記目的を達成するため、本発明の画像処理装置は、媒体に記録された画像を画像読み取り用光で走査して画像信号を取得し、該画像信号に基づいて画像処理を行い、画像データとして出力する画像処理装置において、前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと補正を行った画素の情報とを記録媒体に記録する画像データ記録手段とを少なくとも有するものである。
【００１０】
ここで、「画像読み取り用光」とは、原稿に記録された画像をＣＣＤ等の撮像手段に読み取るための光源であり、一般的にはＲ・Ｇ・Ｂの３つの波長の可視光が用いられる。従って、画像信号としてＲ・Ｇ・Ｂそれぞれに対応する３つの画像信号が得られ、欠陥画素の補正はＲ・Ｇ・Ｂそれぞれの画像信号に対して行うことになる。
【００１１】
また、「欠陥検出用光」としては、例えば、特許第２５５９９７０号において用いられている赤外光を利用する手段や、特開２００１−７９８８号公報において用いられている、画像読み取り光とは異なる波長の可視光を用いる手段等を使用することができるが、これらに限定されるものではなく、画像の欠陥を検出することができるものであればよい。
【００１２】
また、「補正を行った画素の情報」とは、欠陥検出信号に基づき画像信号に対して欠陥補正を行った画素が、どの画素かを示す情報であり、例えば補正を行った画素の座標値を示すデータや、補正を行った画素を‘１’、行わなかった画素を‘０’として表した、画像信号と同じ画素数の画像データの形式とすることができるが、これらに限定されるものではなく、欠陥補正を行った画素を特定することができる情報であればよい。
【００１３】
また、「補正後の画像信号の画像データ」は、上記欠陥補正が施された画像信号に基づいて作成されるデータであり、必要に応じてＪＰＥＧ、ＴＩＦＦ、Ｅｘｉｆ等に代表される各種の汎用画像フオーマットへの変換を行なっても良い。この補正を行った画素の情報と補正後の画像信号の画像データは、記録媒体に対してそれぞれ対応づけて個別に記録しても良く、補正を行った画素の情報が座標値のデータであった場合には、補正後の画像信号の画像データのタグ情報として記録しても良い。上記「対応づけて記録」とは、補正を行った画素の情報と補正後の画像信号の画像データとが互いに関連したデータであることを認識できるように記録することをいい、例えば、これらに統一性のある名称を付与したり、同一のフォルダ内に記録する等の手法を用いることができる。また、補正を行った画素の情報が‘０’、‘１’の様な画像信号と同じ画素数の画像データ形式であった場合には、画像信号と同様にＪＰＥＧ、ＴＩＦＦ、Ｅｘｉｆ等に代表される各種の汎用画像フオーマットへの変換を行なっても良い。
【００１４】
このような構成とすることにより、顧客が画像処理装置で得られた画像データを自宅のパーソナルコンピュータ等に取り込み、適当な画像処理を行う場合に、傷補正等の欠陥補正が不十分な画像データを受け取った場合であっても、画像上のどの画素に補正が行われたかを認識することができるため、市販のレタッチソフト等を用いて顧客自身が満足できる様に画像処理を行うことが可能となる。
【００１５】
また、本発明の画像処理装置は、媒体に記録された画像を画像読み取り用光で走査して画像信号を取得し、該画像信号に基づいて画像処理を行い、画像データとして出力する画像処理装置において、前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと前記欠陥検出信号とを記録媒体に記録する画像データ記録手段とを少なくとも有するものであり、本発明においては、前記画像データ記録手段において、更に、補正を行った画素の情報を前記記録媒体に記録する構成とすることができる。
【００１６】
この欠陥検出信号は、記録媒体に補正後の画像信号データと対応づけて記録され、補正後の画像信号データと同様に、必要に応じてＪＰＥＧ、ＴＩＦＦ、Ｅｘｉｆ等に代表される各種の汎用画像フオーマットへの変換を行なっても良い。
【００１７】
このような構成とすることにより、顧客が画像処理装置で得られた画像データを自宅のパーソナルコンピュータ等に取り込み、適当な画像処理する場合に、傷補正等の欠陥補正が不十分な画像データを受け取った場合であっても、顧客は欠陥検出信号を市販の画像読み取りソフト等で１チャンネルのモノクロ画像として確認することができ、どこの画素にどのような強度の欠陥が存在したかを認識することができるため、市販のレタッチソフト等を用いて顧客自身が満足できる様に画像処理を行うことが可能となる。また、補正後の画像データ及び欠陥検出信号に加えて、補正を行った画素の情報を更に記録媒体に記録することにより、顧客は画像上のどこの画素に欠陥補正が行われたかを認識することができるので好ましい。また、更に補正前の画像信号の画像データを同様に記録媒体に記録しても良い。
【００１８】
また、本発明の画像処理装置は、媒体に記録された画像を画像読み取り用光で走査して画像信号を取得し、該画像信号に基づいて画像処理を行い、画像データとして出力する画像処理装置において、前記媒体に記録された前記画像を欠陥検出用光で走査して前記画像の欠陥を検出し、欠陥検出信号を取得する欠陥検出手段と、前記欠陥検出信号に基づいて前記画像信号の欠陥画素を補正する補正手段と、補正後の画像信号の画像データと補正前の画像信号の画像データとを記録媒体に記録する画像データ記録手段とを少なくとも有するものであり、本発明においては、前記補正手段に、前記補正前の画像信号と前記補正前の画像信号とを比較し、その差分値を演算する差分処理手段を備え、前記画像データ記録手段では、前記補正前の画像信号の画像データ又は前記補正前の画像信号の画像データの一方と、前記差分値とが前記記録媒体に記録される構成とすることができる。
【００１９】
この補正前の画像信号の画像データは、記録媒体に補正後の画像信号データと対応づけて記録され、補正後の画像信号データと同様に、必要に応じてＪＰＥＧ、ＴＩＦＦ、Ｅｘｉｆ等に代表される各種の汎用画像フオーマットへの変換を行なっても良い。また「差分値」とは、一方の画像データと他方の画像データとの相対的な変位を示す値であり、一方の画像データと他方の画像データとの差をとってもよく、差をとる代わりに比をとってもよい。
【００２０】
このように、補正後の画像信号の画像データと補正前の画像信号の画像データの両方を記録することにより、顧客は補正後の画像信号の画像データが不満足であった場合には、補正前の画像信号の画像データから自分自身の好みの欠陥補正を行うことが可能となる。また、差分値を用いて画像データを記録することにより、記録するデータ量が圧縮可能となり、記憶手段の負荷を軽減することができるので好ましい。
【００２１】
また、本発明の画像処理方法は、媒体に記録された画像を画像読み取り用光で走査して画像信号を取得し、該画像信号に基づいて画像処理を行い、画像データとして出力する画像処理装置における画像処理方法であって、前記媒体に記録された前記画像を欠陥検出用光で走査して前記画像の欠陥を検出し、欠陥検出信号を取得するステップと、前記欠陥検出信号に基づいて前記画像信号の欠陥画素を補正する補正ステップと、表示手段に、補正後の画像信号の画像データと共に記録媒体に記録する情報を選択可能に表示するステップと、選択結果に基づいて、前記補正後の画像信号の画像データと、補正を行った画素の情報、前記欠陥検出信号、又は補正前の画像信号の画像データの中から選択される少なくとも１つの前記情報とを前記記録媒体に記録する記録ステップとを少なくとも有するものであり、本発明においては、前記補正ステップでは、前記補正前の画像信号と前記補正前の画像信号とを比較し、その差分値を演算する処理を行い、前記画像データ記録ステップでは、前記記録媒体に記録する前記情報として前記補正前の画像信号の画像データが選択された場合に、前記補正前の画像信号の画像データ又は前記補正前の画像信号の画像データの一方と、前記差分値とを記録媒体に記録する構成とすることができる。
【００２２】
このように、補正後の画像信号の画像データと共に記録媒体に記録する情報が顧客の選択に基づいて設定されるため、顧客は保有するパーソナルコンピュータの性能、インストールされているアプリケーションの種類等に応じた情報を取得することができ、その結果、所望の画像処理を行うことができる。
【００２３】
また、本発明の画像処理プログラムは、コンピュータを上記画像処理装置の各手段として機能させるものであり、このような画像処理プログラムを提供することにより、汎用的な装置であっても該画像処理プログラムをインストールすることにより画像処理装置として機能させることができ、同様の効果を得ることができる。
【００２４】
【発明の実施の形態】
以下に図面を参照して本発明の画像処理装置及び画像処理方法並びに画像処理プログラムの具体的な実施形態について説明する。図１は、本発明の一実施形態に係る画像処理装置の外観を示す斜視図であり、図２は、その構成を模式的に示すブロック図である。また、図３は、画像処理装置の画像処理部の構成を示すブロック図であり、図４は、画像データ書式作成部へ送出するデータを選択するシステムの構成を示す図である。また、図５は、画像処理装置の内、本実施形態に関する手段を抜き出したブロック図であり、図６は、本実施形態の画像処理手順を示すフローチャート図である。
【００２５】
図１に本発明の一実施形態に係る画像処理装置の例を示す。ここでは画像処理装置１として、フィルムや原稿に記録された画像情報を読み取り、読み取った画像情報に画像処理を施したり、感光材料に露光して現像し、プリントを作成する多機能一体型の装置を例示しているが、本発明の画像処理装置１は図の構成に限定されず、取得した画像データの欠陥を補正し記録する機能を備えるものであればよい。
【００２６】
本実施形態の画像処理装置１は、本体２の左側面にマガジン装填部３を備え、本体２内には記録媒体である感光材料に露光する露光処理部４と、露光された感光材料を現像処理して乾燥し、プリントを作成するプリント作成部５とが備えられ、作成されたプリントは本体２の右側面に設けられたトレー６に排出される。さらに、本体２の内部には、露光処理部４の上方位置に制御部７が備えられている。
【００２７】
また、本体２の上部には、ＣＲＴ８が配置されている。このＣＲＴ８がプリントを作成しようとする画像情報を画面に表示する表示手段を構成している。ＣＲＴ８の左側に透過原稿読み込み装置であるところのフィルムスキャナ部９が配置され、右側に反射原稿入力装置１０が配置されている。
【００２８】
フィルムスキャナ部９や反射原稿入力装置１０で読み込まれる原稿として写真感光材料があり、この写真感光材料としては、カラーネガフィルム、カラーリバーサルフィルムが挙げられ、アナログカメラにより撮像した駒画像情報が記録される。フィルムスキャナ部９のフィルムスキャナで画像信号と欠陥検出信号を得ることができる。また、写真感光材料がカラーペーパーの場合、反射原稿入力装置１０のフラットベットスキャナで画像信号と欠陥検出信号を得ることができる。
【００２９】
また、本体２の制御部７の位置には、画像読込部１４が設けられている。画像読込部１４にはＰＣカード用アダプタ１４ａ、ＦＤ用アダプタ１４ｂが備えられ、ＰＣカード１３ａやＦＤ１３ｂが差し込み可能になっている。ＰＣカード１３ａには、デジタルカメラで撮像して得た複数の駒画像情報が記憶されたメモリを有する。ＦＤ１３ｂには、例えばデジタルカメラで撮像して得た複数の駒画像情報が記憶される。
【００３０】
また、ＣＲＴ８の前側に操作部１１が配置され、この操作部１１に情報入力手段１２が設けられ、情報入力手段１２は、例えばタッチパネル等で構成される。なお、操作部１１、ＣＲＴ８、フィルムスキャナ部９、反射原稿入力装置１０、画像読込部１４は、本体２に一体的に設けられた構造となっているが、いずれか１つ以上を別体として設けてもよい。
【００３１】
さらに、本体２の制御部７の位置には、画像データ等を記録媒体に記録する画像書込部１５が設けられている。画像書込部１５にはＦＤ用アダプタ１５ａ、ＭＯ用アダプタ１５ｂ、ＣＤ−Ｒ用アダプタ１５ｃが備えられ、ＦＤ１６ａ、ＭＯ１６ｂ、ＣＤ−Ｒ１６ｃが差し込み可能になっており、画像欠陥を補正した画像信号の画像データ及び補正を行った画素の情報、欠陥検出信号、補正前の画像信号の画像データを記録媒体に出力することができるようになっている。
【００３２】
更に、制御部７には図示されない通信手段が設けられており、施設内の別のコンピュータやインターネット等を介した遠方のコンピュータから直接、撮像画像を表す画像信号とプリント命令を受信し、所謂ネットワークプリンタ装置として機能することが可能になっている。
【００３３】
図２は画像処理装置１の概略構成図である。画像処理装置１の制御部７は、情報入力手段１２からの指令情報に基づき、フィルムスキャナ部９や反射原稿入力装置１０からの原稿情報（画像信号と欠陥検出信号）の読み込みを行い、画像処理部２０で欠陥補正を行って、画像をＣＲＴ８に表示する。外部からの画像データで欠陥検出信号が得られない場合、例えばデジタルカメラ等からのデータの場合には、そのままＣＲＴ８に表示する。
【００３４】
また、制御部７は、画像処理部２０を有し、この画像処理部２０で画像信号の欠陥を欠陥検出信号に基づいて補正する画像処理をほどこして、補正後の画像信号を作成する。補正後の画像信号は、画像搬送部１９と露光処理部４に送られる。露光処理部４では、感光材料に画像の露光が行われ、この感光材料をプリント作成部５に送り、プリント作成部５で露光された感光材料を現像処理して乾燥し、プリントＰ１、Ｐ２、Ｐ３を作成する。プリントＰ１はサービスサイズ、ハイビジョンサイズ、パノラマサイズ等であり、プリントＰ２はＡ４サイズ、プリントＰ３は名刺サイズのプリントである。
【００３５】
この画像処理装置１には、デジタルカメラにより撮像して記憶されたＰＣカード１３ａやＦＤ１３ｂの駒画像情報を読み出して転送する画像読込部１４が備えられていても良い。この画像読込部１４には、画像転送手段１７としてＰＣカード用アダプタ１４ａ、ＦＤ用アダプタ１４ｂ等が設けられている。ＰＣカード用アダプタ１４ａにＰＣカード１３ａを差し込み、またはＦＤ用アダプタ１４ｂにＦＤ１３ｂを差し込み、ＰＣカード１３ａやＦＤ１３ｂに記録された駒画像情報を読み取り、マイクロコンピュータで構成される制御部７へ転送する。ＰＣカード用アダプタ１４ａとしては、例えばＰＣカードリーダやＰＣカードスロット等が用いられる。
【００３６】
また、画像書込部１５には、画像搬送部１９としてＦＤ用アダプタ１５ａ、ＭＯ用アダプタ１５ｂ、ＣＤ−Ｒ用アダプタ１５ｃが備えられ、ＦＤ１６ａ、ＭＯ１６ｂ、ＣＤ−Ｒ１６ｃが差し込み可能になっており、画像欠陥を補正後の画像信号を記録媒体に書き込むことができるようになっている。記録媒体に記録する情報としては、顧客からの指示等を操作部１１等から入力し、操作部１１からの指示により、
（１）補正後の画像信号の画像データと補正を行った画素の情報、
（２）補正後の画像信号の画像データと欠陥検出信号、
（３）補正後の画像信号の画像データと欠陥検出信号と補正を行った画素の情報、
（４）補正後の画像信号の画像データと補正前の画像信号の画像データ、
等を選択することができる。
【００３７】
また、画像処理部２０に接続された、図示されない通信手段を用いて、前述の記録媒体に記録する情報をインターネット等を介して、顧客のパーソナルコンピュータに対して送付することも可能になっている。
【００３８】
図３は、画像処理部２０の該略構成を示す図である。フィルムスキャナ部９から入力された画像情報（画像信号と欠陥検出信号）は、フィルムスキャンデータ処理部２１において、フィルムスキャナ部９固有の校正操作・ネガ原稿の場合のネガポジ反転・グレーバランス調整・コントラスト調整などが施され、画像調整処理部２４に送られる。また、フィルムサイズ・ネガポジ種別・フィルムに光学的或いは磁気的に記録されたＩＳＯ感度、メーカー名、主要被写体に関わる情報・撮影条件に関する情報（例えばＡＰＳの記載情報内容）などが、併せて画像調整処理部２４に送られる。
【００３９】
反射原稿入力装置１０から入力された画像情報（画像信号と欠陥検出信号）は、反射原稿スキャンデータ処理部２２において、反射原稿入力装置固有の校正操作・ネガ原稿の場合のネガポジ反転・グレーバランス調整・コントラスト調整などが施され、画像調整処理部２４に送られる。この他、画像転送手段・通信手段から画像信号を入力できるような形態になっていても良い。
【００４０】
画像調整処理部２４では、操作部１１又は制御部７の指令に基づき、フィルムスキャナ部９・反射原稿入力装置１０から受け取った画像信号と欠陥検出信号により、画像欠陥の補正を行う画像処理を行ない、補正後の画像信号をＣＲＴ固有処理部２５・第１プリンタ固有処理部２６・第２プリンタ固有処理部２７に送出する。
【００４１】
ＣＲＴ固有処理部２５では、画像調整処理部２４から受け取った補正後の画像信号に対して、必要に応じて画素数変更・カラーマッチング等の処理を行ない、制御情報等の表示が必要な情報と合成した表示用の信号をＣＲＴ８に送出する。
【００４２】
第１プリンタ固有処理部２６では、必要に応じてプリンタ固有の校正処理・カラーマッチング・画素数変更等を行ない、露光処理部４に画像信号を送出する。本実施形態の画像処理装置１に、更に大判インクジェットプリンタなど、外部プリンタ装置３０を接続する場合には、接続するプリンタ装置ごとにプリンタ固有処理部（第２プリンタ固有処理部２７等）を設け、適正なプリンタ固有の校正処理・カラーマッチング・画素数変更等を行なうようにする。
【００４３】
また、画像調整処理部２４では、操作部１１等からの指示により、
（１）補正後の画像信号の画像データと補正を行った画素の情報、
（２）補正後の画像信号の画像データと欠陥検出信号、
（３）補正後の画像信号の画像データと欠陥検出信号と補正を行った画素の情報、
（４）補正後の画像信号の画像データと補正前の画像信号の画像データ、
のデータを選択し、画像データ書式作成部２８へ送出する。
【００４４】
図４は、画像データ書式作成部２８へ送出するデータを選択するシステムの一例を示す概略図である。操作部１１からの指示により、補正後の画像信号、補正前の画像信号、補正を行った画像の情報、欠陥検出信号がスイッチにより選択され、補正後の画像信号及び補正前の画像信号が選択された場合には、必要に応じて、差分処理部２４ａにおいて差分が演算された後、選択された画像信号が画像データ書式作成処理部２８に送られる。画像データ書式作成処理部２８においては、画像調整処理部２４から受け取った処理後の画像信号等に対して、必要に応じてＪＰＥＧ、ＴＩＦＦ、Ｅｘｉｆ等に代表される各種の汎用画像フオーマットへの変換を行ない、画像搬送部１９や通信手段２９へ画像信号を転送する。
【００４５】
以上の、フィルムスキャンデータ処理部２１・反射原稿スキャンデータ処理部２２・画像データ書式解読処理部２３・画像調整処理部２４・ＣＲＴ固有処理部２５・第１プリンタ固有処理部２６・第２プリンタ固有処理部２７・画像データ書式作成処理部２８という区分は、本実施形態の画像処理部２０の機能の理解を助ける為に設けた区分であり、必ずしも物理的に独立したデバイスとして実現される必要はなく、たとえば単一のＣＰＵにおけるソフトウエア処理の種類の区分として実現されてもよい。
【００４６】
上記画像処理装置１の機能の内、本発明の画像処理に関わる部分を抽出すると図５のようになる。すなわち、フィルムスキャナ部９や反射原稿入力装置１０の内、画像の欠陥検出機能を担う欠陥検出手段３１と、画像調整処理部２４の内、画像信号の欠陥補正や差分値の演算等の機能を担う補正手段３２と、画像データ書式作成処理部２８や画像書込部１５の内、画像信号を適した形式に変換して関連付けて記録媒体に記録する機能を担う画像データ記録手段３３とを含んでいる。これらの各手段は、ハードウェアとして構成されていても良いが、コンピュータを、少なくとも、欠陥検出手段３１、補正手段３２、画像データ記録手段３３として機能させる画像処理プログラムを汎用的な装置にインストールして実行してもよい。
【００４７】
上記手段に基づく画像処理の手順について、図６のフローチャート図を参照して説明する。
【００４８】
まず、ステップＳ１０１で、画像情報が記録された媒体（フィルムやカラーペーパー等の写真感光材料）をフィルムスキャナ部９や反射原稿入力装置１０で読み取り、媒体中の画像信号を取得すると共に、欠陥検出手段３１を用いて媒体中の傷等の欠陥を検出し、欠陥検出信号を取得する。
【００４９】
次に、ステップＳ１０２で、画像信号と欠陥検出信号とを画像調整処理部２４に送り、画像調整処理部２４では、補正手段３２を用いて画像信号の欠陥を欠陥検出信号に基づいて補正し、補正後の画像信号を作成する。
【００５０】
次に、ステップＳ１０３で、必要に応じて、補正後の画像信号をＣＲＴ固有処理部２５やプリンタ固有処理部２６、２７に送り、ＣＲＴ固有処理部２５やプリンタ固有処理部２６、２７では、補正後の画像信号に対して、画素数変更、カラーマッチング、出力装置固有の校正等の処理を行う。
【００５１】
次に、ステップＳ１０４で、記録媒体に記録する画像信号の組み合わせの選択肢をＣＲＴ８に表示する。この表示に対して顧客は操作部１１を用いて所望の組み合わせ（（１）補正後の画像信号の画像データと補正を行った画素の情報、（２）補正後の画像信号の画像データと欠陥検出信号、（３）補正後の画像信号の画像データと欠陥検出信号と補正を行った画素の情報、（４）補正後の画像信号の画像データと補正前の画像信号の画像データ）を選択し、選択された画像信号は画像データ書式作成処理部２８に送られる。
【００５２】
次に、ステップＳ１０５で、画像データ書式作成処理部２８では、必要に応じて、処理後の画像信号等に対して、ＪＰＥＧ、ＴＩＦＦ、Ｅｘｉｆ等に代表される各種の汎用画像フオーマットへの変換を行う。
【００５３】
そして、ステップＳ１０６で、画像データ書式作成処理部２８で汎用画像フオーマットに変換された画像信号は画像搬送部１９に送られ、画像データ記録手段３３によりＦＤ１６ａ、ＭＯ１６ｂ、ＣＤ−Ｒ１６ｃ等の記録媒体に関連付けて記録され、顧客に提供される。
【００５４】
このように、補正後の画像信号の画像データと共に、補正を行った画素の情報、欠陥検出信号、補正前の画像信号の画像データから選択される少なくとも１つの情報が記録された記録媒体を利用することにより、画像処理装置における欠陥補正が不十分な画像データを受け取った場合であっても、顧客自身がそれらの情報を用いて所望の画像処理を行うことができ、画像データを有効に活用することができる。
【００５５】
【発明の効果】
以上説明したように、本発明の画像処理装置及び画像処理方法並びに画像処理プログラムによれば、顧客が画像処理装置で得られた画像データを自宅のパーソナルコンピュータ等に取り込み、適当な画像処理を行う場合に、画像処理装置における欠陥補正が不十分な画像データを受け取った場合であっても、市販のレタッチソフト等を用いて、顧客自身が満足できる様に画像処理を行うことが可能となる。
【００５６】
その理由は、フィルムスキャナ部や反射原稿入力装置等で画像信号を取得すると共に、欠陥検出手段で欠陥検出信号を取得し、欠陥検出信号を用いて画像信号に対して欠陥の補正を行い、補正後の画像信号の画像データと共に、補正を行った画素の情報や欠陥検出信号、補正前の画像信号の画像データ等が、顧客によって選択された組み合わせに従って記録媒体に記録されるため、顧客は画像上のどの画素に補正が行われたか、どこの画素にどのような強度の欠陥が存在したかを認識して所望の画像処理を行うことができ、また、補正前の画像信号の画像データから顧客の好みの欠陥補正を行うことができるからである。
【図面の簡単な説明】
【図１】本発明の一実施の形態に係る画像処理装置の外観を示す斜視図である。
【図２】本発明の一実施の形態に係る画像処理装置の構成を模式的に示すブロック図である。
【図３】本発明の一実施の形態に係る画像処理装置の画像処理部の構成を示すブロック図である。
【図４】本発明の一実施の形態に係る画像データ書式作成部へ送出するデータを選択するシステムの構成を示す図である。
【図５】本発明の一実施の形態に係る画像処理装置の内、本実施形態の画像処理に関する手段を抜き出したブロック図である。
【図６】本発明の一実施の形態に係る画像処理手順を示すフローチャート図である。
【符号の説明】
１  画像処理装置
２  本体
３  マガジン装填部
４  露光処理部
５  プリント作成部
６  トレー
７  制御部
８  ＣＲＴ
９  フィルムスキャナ部
１０  反射原稿入力装置
１１  操作部
１２  情報入力部
１３ａ  ＰＣカード
１３ｂ  ＦＤ
１４  画像読込部
１５  画像書込部
１６ａ  ＦＤ
１６ｂ  ＭＯ
１６ｃ  ＣＤ−Ｒ
１７  画像転送手段
１８  通信手段（入力）
１９  画像搬送部
２０  画像処理部
２１  フィルムスキャンデータ処理部
２２  反射原稿スキャンデータ処理部
２３  画像データ書式解読処理部
２４  画像調整処理部
２４ａ  差分処理部
２５  ＣＲＴ固有処理部
２６  第１プリンタ固有処理部
２７  第２プリンタ固有処理部
２８  画像データ書式作成処理部
２９  通信手段（出力）
３０  外部プリンタ
３１  欠陥検出手段
３２  補正手段
３３  画像データ記録手段
【図１】
2004248077.tif 000003
【図２】
2004248077.tif 000004
【図３】
2004248077.tif 000005
【図４】
2004248077.tif 000006
【図５】
2004248077.tif 000007
【図６】
2004248077.tif 000008